(57)【要約】【課題】材料歩留まりを向上させることができ、かつ、容易に製造することができるバスバを提供する。【解決手段】バスバ１は、帯状に形成されたバスバ本体３と、バスバ本体３の外縁部に取り付けられた複数の端子部２と、バスバ本体３と各端子部２とに設けられ、互いに係止してバスバ本体３と各端子部２とを固定する複数の固定部７と、を有している。この固定部７は、バスバ本体３と端子部２とに設けられた互いに重なる平面部６１，５１と、平面部６１，５１から切り起こされて設けられた曲げ起こし部６２，５２と、を有している。そして、バスバ本体３と端子部２とを互いに近付けることにより、バスバ本体３側の平面部６１と曲げ起こし部６２とが、端子部２側の平面部５１と曲げ起こし部５２との間に挟持される。【選択図】図２
2009171762.tif 000002
【特許請求の範囲】
【請求項１】
導電性金属板で構成されたバスバ本体と、
導電性金属板で構成されかつ前記バスバ本体の外縁部に取り付けられた複数の端子部と、
これらバスバ本体と各端子部とに設けられ、かつ、互いに近付く方向に押し付けられることにより互いに係止して、これらバスバ本体と各端子部とを互いに固定する複数の固定部と、
を有していることを特徴とするバスバ。
【請求項２】
前記固定部が、
前記バスバ本体の外縁部と前記端子部の外縁部とにそれぞれ設けられた、互いに重なる平らな平面部と、
これら平面部それぞれに切れ込みが設けられ、かつ該切れ込みに囲まれた片持ち状の帯状部が曲げ起こされてそれぞれ設けられた、互いに重なる曲げ起こし部と、を有し、そして、
前記バスバ本体と前記端子部とを前記平面部の面方向に沿って互いに近付けることにより、前記バスバ本体と前記端子部とのうち一方に設けられた前記平面部と前記曲げ起こし部とが、他方に設けられた前記平面部と前記曲げ起こし部との間に挟持される
ことを特徴とする請求項１に記載のバスバ。
【発明の詳細な説明】
【技術分野】
【０００１】
本発明は、例えば、自動車に搭載されて電源側からの電力を電子機器側に分配する電気接続箱などに用いられるバスバに関するものである。
【背景技術】
【０００２】
図６は、上記電気接続箱などに用いられる従来のバスバを示す平面図である。このバスバ１０１は、一枚の導電性金属板（図６中に点線Ｄで示す。）が所定の形状に打ち抜かれ、折り曲げられるなどして得られる。このバスバ１０１は、帯状のバスバ本体１０２と、このバスバ本体１０２の外縁部から突出した、上記電気接続箱に装着される電気部品と電気的に接続される、タブ状の複数の端子部１０３と、を有している。また、端子部１０３同士は互いに間隔をあけて設けられている。
【０００３】
上記バスバ１０１は、上述したように、一枚の導電性金属板Ｄが打ち抜かれて形成されていることから、端子部１０３間などの余分な金属板部分（図６中に点線Ｅで示す。）を切断除去せざるを得ず、材料歩留まりが悪いという問題があった。そこで、材料歩留まりを向上させることが可能なバスバとして、本発明の出願人は、図７に示すバスバ２１０を提案している（例えば特許文献１を参照。）。
【０００４】
図７に示すバスバ２１０は、帯板状に形成されたバスバ本体２１１と、このバスバ本体２１１の外縁部に、互いに間隔をあけて取り付けられた複数の端子部２１３，２１２と、を有している。これら複数の端子部２１３，２１２の外縁部には、バスバ本体２１１の外縁部をかしめることが可能なかしめ部２１３ａ，２１２ａが設けられている。
【０００５】
上記バスバ２１０は、端子部２１３，２１２のかしめ部２１３ａ，２１２ａを、バスバ本体２１１の外縁部の所定位置に位置合わせした後にかしめて、端子部２１３，２１２とバスバ本体２１１とを一体化させることにより得られる。このようなバスバ２１０は、導電性金属板から無駄のない材料取りができるので、材料歩留まりを向上させることができる。
【特許文献１】特開２０００−３５０３３５号公報
【発明の開示】
【発明が解決しようとする課題】
【０００６】
しかしながら、図７に示した従来のバスバ２１０は、端子部２１３，２１２とバスバ本体２１１とを圧着装置（かしめ装置）にセットする際、または、これらのかしめ後に、端子部２１３，２１２の位置ずれや傾きが生じ易く、製造するのが難しいという問題があった。
【０００７】
また、図７に示した図示例では、バスバ２１０は、一方向に延在した平らな板状に形成されているが、一般的なバスバは、複数個所に曲げ加工が施された立体的な形状のものが多い。しかし、曲げ加工が施されたバスバ本体２１１を上記圧着装置にセットすることや、端子部２１３，２１２が取り付けられたバスバ本体２１１をプレス装置にセットすることは不可能であるので、現実的には、従来のバスバ２１０は、平らな板状の構成のバスバにしか用いることができないという問題があった。
【０００８】
したがって、本発明は、材料歩留まりを向上させることができ、かつ、容易に製造することができるバスバを提供することを目的とする。
【課題を解決するための手段】
【０００９】
上記目的を達成するために、請求項１に記載された発明は、導電性金属板で構成されたバスバ本体と、導電性金属板で構成されかつ前記バスバ本体の外縁部に取り付けられた複数の端子部と、これらバスバ本体と各端子部とに設けられ、かつ、互いに近付く方向に押し付けられることにより互いに係止して、これらバスバ本体と各端子部とを互いに固定する複数の固定部と、を有していることを特徴とするバスバである。
【００１０】
請求項２に記載された発明は、請求項１に記載された発明において、前記固定部が、前記バスバ本体の外縁部と前記端子部の外縁部とにそれぞれ設けられた、互いに重なる平らな平面部と、これら平面部それぞれに切れ込みが設けられ、かつ該切れ込みに囲まれた片持ち状の帯状部が曲げ起こされてそれぞれ設けられた、互いに重なる曲げ起こし部と、を有し、そして、前記バスバ本体と前記端子部とを前記平面部の面方向に沿って互いに近付けることにより、前記バスバ本体と前記端子部とのうち一方に設けられた前記平面部と前記曲げ起こし部とが、他方に設けられた前記平面部と前記曲げ起こし部との間に挟持されることを特徴とするものである。
【発明の効果】
【００１１】
請求項１に記載された発明によれば、バスバ本体と各端子部とを別体で形成したことにより、導電性金属板から無駄のない材料取りができるので、材料歩留まりを向上させることができ、そのために、安価なバスバを提供することができる。また、バスバ本体と各端子部とを、溶接やかしめ構造で結合させず、互いに近付く方向に押し付けられることにより互いに係止する固定部により固定することから、これらバスバ本体と各端子部とを、位置ずれや傾きを生じさせることなく容易に組み付けることができる。さらに、バスバ本体に曲げ加工を施した後でも、容易に端子部の取り付け及び取り外しを行うことができる。よって、容易に製造することができるバスバを提供することができる。また、回路に合わせて端子部の個数や取付位置などを簡単に自由に組み合わせることができるので、部品の共通化が可能になり、量産効果により安価なバスバを提供することができる。
【００１２】
請求項２に記載された発明によれば、前記固定部が、前記バスバ本体の外縁部と前記端子部の外縁部とにそれぞれ設けられた、互いに重なる平らな平面部と、これら平面部それぞれに切れ込みが設けられ、かつ該切れ込みに囲まれた片持ち状の帯状部が曲げ起こされてそれぞれ設けられた、互いに重なる曲げ起こし部と、を有し、そして、前記バスバ本体と前記端子部とを前記平面部の面方向に沿って互いに近付けることにより、前記バスバ本体と前記端子部とのうち一方に設けられた前記平面部と前記曲げ起こし部とが、他方に設けられた前記平面部と前記曲げ起こし部との間に挟持されることから、単純な加工処理でバスバ本体と端子部とを製造できるので、容易に製造することができるバスバを提供することができる。
【発明を実施するための最良の形態】
【００１３】
以下、本発明の第１の実施形態に係るリレーの取付構造を図１ないし図４を参照して説明する。本実施形態のバスバ１は、自動車に搭載されて電源側からの電力を電子機器側に分配する電気接続箱に用いられる。
【００１４】
上記バスバ１は、図１に示すように、銅板などの導電性金属板で構成され、全体として帯板状に形成されたバスバ本体３と、銅板などの導電性金属板で構成され、バスバ本体３の外縁部に互いに間隔をあけて取り付けられた複数の端子部２と、これらバスバ本体３と各端子部２とに設けられ、互いに近付く方向に押し付けられることにより互いに係止して、これらバスバ本体３と各端子部２とを互いに固定する複数の固定部７と、を有している。
【００１５】
上記バスバ本体３は、図２に示すように、その長辺側の外縁部に、互いに間隔をあけて設けられた複数の第１固定部６を有している。この第１固定部６には、後述する端子部２の第２固定部５が係止される。
【００１６】
上記端子部２は、上記電気接続箱に装着される電気部品と電気的に接続されるタブ状の接続部４と、接続部４の端部に連なった第２固定部５と、を有している。この第２固定部５は、上記第１固定部６に係止する。
【００１７】
また、上述した第１固定部６と、第２固定部５と、の双方で上記固定部７を構成している。
【００１８】
上記第１固定部６は、図３に示すように、バスバ本体３の外縁部をなす平らな平面部６１と、この平面部６１に２本の切れ込み６３が設けられ、これら２本の切れ込み６３間の片持ち状の帯状部が曲げられて設けられた曲げ起こし部６２と、を有している。
【００１９】
また、前記２本の切れ込み６３は、バスバ本体３の外縁部を切り欠いて、複数の第１固定部６の並び方向と直交した直線状に延び、互いに平行に設けられている。
【００２０】
また、前記曲げ起こし部６２は、その固定端が谷折りされ、そして、該固定端と自由端との間の中央部が山折りされることにより、側方から見て平面部６１から突出した山形に形成されている。また、曲げ起こし部６２の前記自由端は、図４などに示すように、平面部６１よりも前記中央部から離れた位置に位置付けられている。
【００２１】
上記第２固定部５は、上記接続部４の面方向に沿って平らに設けられた平面部５１と、この平面部５１に２本の切れ込み５３が設けられ、これら２本の切れ込み５３間の片持ち状の帯状部が曲げられて設けられた曲げ起こし部５２と、を有している。
【００２２】
また、前記２本の切れ込み５３は、平面部５１の接続部４から離れた外縁部を切り欠いて、接続部４と第２固定部５との並び方向に沿って直線状に延び、互いに平行に設けられている。
【００２３】
また、前記曲げ起こし部５２は、その固定端が谷折りされ、そして、該固定端と自由端との間の中央部が山折りされることにより、側方から見て平面部５１から突出した山形に形成されている。
【００２４】
また、曲げ起こし部５２は、図４などに示すように、その中央部及び自由端と、前記平面部５１との間に間隔をあけており、平面部５１との間に上記第１固定部６の平面部６１及び曲げ起こし部６２を挟持する。
【００２５】
即ち、曲げ起こし部５２，６２は、曲げ起こし部５２の平面部５１寄りの表面と、曲げ起こし部６２の平面部６１から離れた側の表面とが互いに当接することが可能なように設けられている。
【００２６】
さらに、曲げ起こし部５２，６２は、曲げ起こし部５２の平面部５１寄りの表面と、曲げ起こし部６２の平面部６１から離れた側の表面とが互いに当接した状態で、平面部５１の曲げ起こし部５２寄りの表面と、平面部６１の曲げ起こし部６２の中央部から離れた側の表面とが互いに当接すること、即ち平面部６１の板厚方向に沿って重なること、が可能なように設けられている。
【００２７】
上記構成の第１固定部６を有したバスバ本体３と、上記構成の第２固定部５を有した端子部２と、は、以下のようにして互いに組み付けられる。即ち、バスバ本体３と端子部２とを組み付けるには、図３及び図４（ａ）に示すように、バスバ本体３と端子部２とを、平面部６１，５１同士が平行になる向きで、かつ、曲げ起こし部６２，５２の平面部６１，５１からの突出方向が同一になる向きで、かつ、切れ込み６３，５３により切り欠かれた外縁部同士が互いに向かい合わせになる位置で、かつ、曲げ起こし部６２，５２同士が互いに相対する位置に、位置付ける。
【００２８】
そして、これらバスバ本体３端子部２とを、平面部６１，５１の面方向に沿って、互いに近付け、図４（ｂ）に示すように、曲げ起こし部５２の自由端と平面部５１との間に平面部６１を位置付ける。
【００２９】
そして、これらバスバ本体３端子部２とを、平面部６１，５１の面方向に沿って、さらに近づけると、図４（ｃ）に示すように、曲げ起こし部５２の自由端が、曲げ起こし部６２の中央部を乗り越える。
【００３０】
そして、これらバスバ本体３端子部２とを、平面部６１，５１の面方向に沿って、さらに近付けることにより、図４（ｄ）に示すように、曲げ起こし部５２の平面部５１寄りの表面と、曲げ起こし部６２の平面部６１から離れた側の表面とが互いに当接するとともに、平面部５１の曲げ起こし部５２寄りの表面と、平面部６１の曲げ起こし部６２の中央部から離れた側の表面とが互いに当接する。また、この状態で、曲げ起こし部６２の自由端が、平面部５１よりも曲げ起こし部５２から離れた側に位置付けられている。
【００３１】
こうして曲げ起こし部５２と平面部５１との間に平面部６１及び曲げ起こし部６２を挟持して、第１固定部６と第２固定部５とが互いに係止し、バスバ本体３と端子部２とが互いに固定される。
【００３２】
本実施形態によれば、バスバ本体３と各端子部２とを別体で形成したことにより、上記導電性金属板から、バスバ本体３と端子部２との無駄のない材料取りができるので、材料歩留まりを向上させることができ、そのために、安価なバスバ１を提供することができる。
【００３３】
また、バスバ本体３と各端子部２とを、溶接やかしめ構造で結合させず、平面部６１，５１の面方向に沿って、互いに近付く方向に押し付けられることにより互いに係止する固定部７により固定することから、これらバスバ本体３と各端子部２とを、容易に組み付けることができる。
【００３４】
また、固定部７が、上述した構成の第１固定部６と第２固定部５とを有していることから、バスバ本体３と各端子部２とを、位置ずれや傾きを生じさせることなく容易に組み付けることができる。
【００３５】
即ち、曲げ起こし部５２と平面部５１との間に平面部６１及び曲げ起こし部６２が挟持されるので、バスバ本体３と各端子部２とが、平面部６１，５１の板厚方向に位置ずれすることが防止される。そして、曲げ起こし部５２，６２同士が互いに重なることにより、バスバ本体３と各端子部２とが、切れ込み６３，５３の延在方向に沿って互いに位置ずれすることが防止される。そして、曲げ起こし部６２の自由端が、平面部５１よりも曲げ起こし部５２から離れた側に位置付けられていることにより、バスバ本体３と各端子部２とが、平面部６１，５１の板厚方向及び切れ込み６３，５３の延在方向の双方と直交する方向に沿って互いに位置ずれすることが防止される。よって、バスバ本体３と各端子部２とを、位置ずれや傾きを生じさせることなく容易に組み付けることができる。
【００３６】
また、上記電気接続箱の回路に合わせて端子部２の個数やバスバ本体３上の取付位置などを簡単に自由に組み合わせることができるので、部品、即ちバスバ本体３及び端子部２、の共通化が可能になり、量産効果により安価なバスバ１を提供することができる。
【００３７】
さらに、上述した第１の実施形態では、バスバ本体３は、一方向に延在した平らな板状に形成されているが、本発明のバスバ本体は、複数個所に曲げ加工が施された立体的な形状のものでも良い。この場合は、該バスバ本体に曲げ加工が施された後に、端子部２が取り付けられることが望ましい。また、本発明では、バスバ本体に曲げ加工を施した後でも、容易に端子部２の取り付け及び取り外しを行うことができるので、容易に製造することができるバスバを提供することができる。
【００３８】
続いて、本発明の第２の実施形態に係るバスバを図５を参照して説明する。同図において、上述した第１の実施形態と同一構成部分には同一符号を付して説明を省略する。
【００３９】
本実施形態のバスバ１１は、図５に示すように、端子部１２が、上記電気接続箱に装着される電気部品と電気的に接続される音叉状の接続部１４と、接続部１４の端部に連なった第２固定部５と、を有している。
【００４０】
上記接続部１４は、接続部１４と第２固定部５との並び方向に沿って直線状に延びるとともに、前記並び方向と直交する方向に沿って互いに間をあけて設けられた一対の平行部４１と、これら一対の平行部４１の第２固定部５から離れた端部から、互いに近付く方向に突出した一対の突出部４２と、を有している。そして、上記電気部品の電極が、一対の平行部４１間に位置付けられるとともに、一対の突出部４２に弾性的に接触することにより、この電極と接続部１４とが電気的に接続される。
【００４１】
このように本発明では、種々の形状の接続部４，１４を有した端子部２，１２を用いることが可能である。
【００４２】
また、上述した第１，２の実施形態では、曲げ起こし部５２と平面部５１との間に平面部６１及び曲げ起こし部６２が挟持される構成の固定部７を一例として挙げたが、本発明の固定部は、曲げ起こし部６２と平面部６１との間に平面部５１及び曲げ起こし部５２が挟持される上記実施形態とは逆の構成であっても良い。
【００４３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４４】
【図１】本発明の第１の実施形態に係るバスバを示す斜視図である。
【図２】図１に示されたバスバの分解斜視図である。
【図３】図２に示されたバスバを拡大した斜視図である。
【図４】図１に示されたバスバの組み立て方法を説明するための説明図である。
【図５】本発明の第２の実施形態に係るバスバを示す平面図である。
【図６】従来のバスバを示す平面図である。
【図７】従来の他のバスバを示す平面図である。
【符号の説明】
【００４５】
１  バスバ
２，１２  端子部
３  バスバ本体
７  固定部
５１，６１  平面部
５２，６２  曲げ起こし部
５３，６３  切れ込み
【図１】
2009171762.tif 000003
【図２】
2009171762.tif 000004
【図３】
2009171762.tif 000005
【図４】
2009171762.tif 000006
【図５】
2009171762.tif 000007
【図６】
2009171762.tif 000008
【図７】
2009171762.tif 000009